(57)【要約】  本発明は触知性を有するハーフトーン・イメージを備える印刷データ担体、その製造方法、および製造に適する印刷プレートに関するものである。
2005512846.tif 000002
【特許請求の範囲】
【請求項１】
凹版印刷によって形成され、少なくとも１つの領域に、直接隣接している印刷区画面を有している少なくとも１つのハーフトーン・イメージを備えるデータ担体であって、前記区画面が特定の色調値を有し、前記イメージの少なくとも１つの領域が触知可能であることを特徴とするデータ担体。
【請求項２】
少なくとも３つの異なる色調値を有していることを特徴とする請求項１記載のデータ担体。
【請求項３】
前記ハーフトーン・イメージが、ポートレートであることを特徴とする請求項１または２記載のデータ担体。
【請求項４】
前記区画面が、前記オリジナル・ハーフトーン・イメージに重畳されたスクリーンによって得られることを特徴とする請求項１〜３いずれか１項記載のデータ担体。
【請求項５】
前記スクリーンが、ピクセル・スクリーンであることを特徴とする請求項４記載のデータ担体。
【請求項６】
前記スクリーンが、前記オリジナル・ハーフトーン・イメージの画像情報から得られることを特徴とする請求項４または５記載のデータ担体。
【請求項７】
前記区画面が触知可能であることを特徴とする請求項１〜６いずれか１項記載のデータ担体。
【請求項８】
前記ハーフトーン・イメージが、触知構造体要素を更に備えていることを特徴とする請求項１〜７いずれか１項記載のデータ担体。
【請求項９】
前記区画面の各々に、それぞれ１つの触知構造体要素が配されていることを特徴とする請求項１〜８いずれか１項記載のデータ担体。
【請求項１０】
前記触知構造体要素が、前記区画面と比較してより大きいか、またはより小さい振幅を有していることを特徴とする請求項１〜９いずれか１項記載のデータ担体。
【請求項１１】
前記触知構造体要素が、視覚的に知覚できないことを特徴とする請求項１〜１０いずれか１項記載のデータ担体。
【請求項１２】
前記区画面の少なくとも一部が、視覚的に識別可能な光を反射する凹凸パターンを備えていることを特徴とする請求項１〜１１いずれか１項記載のデータ担体。
【請求項１３】
前記ハーフトーン・イメージが、少なくとも該領域の一部に重畳され、外観に影響を及ぼし、前記区画面によって異なる方向性を有する微細構造体を備えていることを特徴とする請求項１〜１２いずれか１項記載のデータ担体。
【請求項１４】
請求項１６〜１８いずれか１項記載の印刷プレートを用いて印刷されたデータ担体。
【請求項１５】
ハーフトーン・イメージを備えるデータ担体を製造する方法であって、
（１）データ担体材料を提供するステップ、
（２）請求項１６〜１８いずれか１項記載の凹版印刷プレートを作製するステップ、および
（３）前記ステップ（２）で作製した印刷プレートを用いて、前記データ担体材料に印刷を施すステップ
の各ステップを有して成ることを特徴とする方法。
【請求項１６】
表面に少なくとも１つの彫込み領域を有する、ハーフトーン・イメージを印刷するための凹版印刷プレートであって、前記彫込み領域が、少なくとも該領域の一部に、特定の彫込み深度を有する直接隣接している区画面を備えていることを特徴とする印刷プレート。
【請求項１７】
前記区画面が、同一および/または異なる彫込み深度を有していることを特徴とする請求１６記載の印刷プレート。
【請求項１８】
異なる彫込み深度を有する少なくとも３つの前記区画面を備えていることを特徴とする請求項１６または１７記載の印刷プレート。
【請求項１９】
請求項１６〜１８いずれか１項記載の凹版印刷プレートを作製する方法であって、
（１）オリジナル・ハーフトーン・イメージを区画面に変換するステップ、
（２）前記区画面の各々に特定の色調値を割り当てるステップ、
（３）前記色調値に特定の彫込み深度を割り当てるステップ、および
（４）前記印刷プレート表面に、前記割り当てた彫込み深度を有する区画面を彫り込むステップ
の各ステップを有して成ることを特徴とする方法。
【発明の詳細な説明】
【技術分野】
【０００１】
本発明は、触知性ハーフトーン画像を印刷したデータ担体、その製造方法、および製造に適する印刷プレートに関するものである。本発明によるデータ担体は、特に、銀行券、身分証明書、パスポート、小切手帳、株券、証明書、切手、航空券、並びにラベル、シール、パッケージ、またはその他の製品保護要素等のセキュリティー・ドキュメントまたは有価証書である。従って、本明細書において、“データ担体”および“セキュリティー・ドキュメントまたは有価証書”という用語は、以後、前記記載のドキュメントを必ず含んでいるものとする。
【背景技術】
【０００２】
商品価値または使用価値が材料の価値を遥かに凌いでいる証書は、適切な手段により、信憑性の確認、および模造品や偽造品との識別が可能でなければならない。そのため、前記のような証書は、理想的には模造または偽造することができないか、できたとしても非常な努力を要する特別なセキュリティー要素を備えている。
【０００３】
従来から、観察者が補助具を使用せずに真偽を識別できるセキュリティー要素が有用であることが立証されているが、その製造には多大な努力を要している。かかるセキュリティー要素には、例えば、製紙の段階においてのみ織込み可能な透かし、あるいは、凹版印刷によって製造され、複写機による模造が不可能な触知性を有していることが特徴的であるモチーフが含まれる。
【０００４】
線画、即ち凹版印刷、特にスチール凹版印刷は、特に銀行券等の有価証書のようなデータ担体の重要な印刷技術である。
【０００５】
凹版印刷は、印刷イメージを形成するための線状陥凹が印刷プレートに形成されることが特徴である。従って、印刷プレート表面の凹部がインク移送領域となる。前記凹部は適切な彫刻具またはエッチングによって形成することができる。機械加工の凹版印刷用印刷プレートは、一般に先細彫刻具により、彫込み深度の大きい幅広の線を形成することができる。また、彫込み深度が大きくなる程、彫込み線のインク受容度、従って印刷線の不透明度が増す。
【０００６】
凹版印刷プレートのエッチングにおいては、プレートの非印刷領域が化学的に不活性なラッカーによって覆われる。その後のエッチングにより、プレート表面の露出部分に彫込みが形成される。前記彫込み線の深度は、特にエッチング時間に依存する。実際に印刷を開始する前に、粘着性インクが凹版に流し込まれ、凹部にのみインクが残るよう、表面の余分なインクがワイピング・ブレードまたはシリンダーによって除去される。次いで、一般には紙である担体が、前記凹版に押圧されると共に、インクが充填されている凹部にも圧入され、その後前記担体を凹版から取り除くことにより、前記凹部からインクが引き出され、前記担体に付着することにより印刷イメージが形成される。透明なインクを使用した場合、インク濃度によって色調が決まる。従って、白い担体に薄い層のインクで印刷すると明るい色調が得られ、厚い層のインクで印刷すると暗い色調が得られる。インク層の厚さは、ある程度彫込み深度に依存する。
【０００７】
ライン凹版印刷は、オフセット印刷など他の一般的な印刷技術と比較し、データ担体に対し比較的厚くインクを塗布することができる。ライン凹版印刷による比較的厚いインク層、および紙が凹版印刷プレートの彫込み内に圧入されることによる紙表面の部分的変形は、専門家でなくても手で触れることにより容易に感じ取ることができ、その触知性により、真偽を容易に識別することができる。前記触知性は複写機で模造することは不可能であるため、ライン凹版印刷によって優れた偽造防止手段が得られる。
【０００８】
前記のような印刷イメージは、特別な努力を更に傾注しないと一面全体に印刷することはできない。一般に、凹版の彫込みのない表面は、インクを印刷紙に全く転写しないため、印刷イメージは細い線から成るモチーフに限定される。従来の凹版印刷では、一面全体印刷と触知性との組合せは不可能である。
【０００９】
ライン凹版印刷と区別される別の凹版印刷に輪転グラビアがある。輪転グラビア、特にハーフトーン輪転グラビアは、印刷イメージの濃淡および明度が、幅広のバーによって隔てられ、異なる密度、サイズおよび/または深度を有し、印刷プレートに規則正しく配されているセルによって得られるのが特徴である。輪転グラビアの印刷プレートは、例えば、彫刻具によって機械的に作製されるか、あるいは電子ビームまたはレーザー・ビームによって作製される。輪転グラビアにおいては、一般に、液体インクおよびドクター・ブレードが使用される。印刷原理は、液体インクを充填するための深度が異なるセル、およびセルに保持される液体インクに基づいている。セルを画定するスクリーン・バーが、前記ドクター・ブレードを支持するが、バー自体は印刷されない。しかし、印刷時、隣接する印刷領域の境界は、インクの流動性によって融合すため、明確に識別することはできない。その結果、準一面全体印刷イメージが得られる。しかし、インクの粘性が不充分であること、および接触圧力が低いために印刷イメージがレリーフ状にならず触知性が得られない。
【００１０】
従って、従来の輪転グラビアおよびライン凹版印刷では、１つの印刷サイクルによって、印刷イメージに触知性を持たせると共に、一面全体印刷を行うことはできないという欠点を有している。
【特許文献１】国際公開第９７/４８５５５号パンフレット
【特許文献２】国際公開第００/２０２１６号パンフレット
【特許文献３】国際公開第００/２０２１７号パンフレット
【発明の開示】
【発明が解決しようとする課題】
【００１１】
本発明の課題は、触知性を有し印刷技術による模倣が困難であり、かつ光学的に際立つ絵柄モチーフを有する、凹版印刷による高度な偽造防止機能を備えるデータ担体を提供することである。
【００１２】
本発明の別の課題は、本発明による印刷データ担体を製造するための印刷プレート、および製造方法を提供することである。      
【課題を解決するための手段】
【００１３】
前記課題は、独立請求項によって解決される。開発成果は、従属請求項に記載されている。
【００１４】
本発明はデータ担体上に配される凹版印刷によるハーフトーン・イメージに基づいている。前記ハーフトーン・イメージは、少なくとも１つのイメージ領域に、特定の色調値を有し直接隣接している印刷区画面を有し、少なくとも１つのイメージ区分領域が触知可能である。
【００１５】
本発明において、“ハーフトーン・イメージ”という用語は、最明部と最暗部との間に中間色調をするイメージを意味する。白黒イメージの場合、“色調値”は従来どおり、白から黒までのグレースケール上の値を意味する。本発明は、無彩色、即ち、白、黒および灰色を含む白黒ハーフトーン・イメージのみならず、単色または多色の有色ハーフトーン・イメージにも勿論関係している。有色ハーフトーン・イメージの場合、“色調値”は色の明度を意味する。本発明のイメージは、少なくとも３つの色調値を有していることが好ましい。印刷担体の基本色、例えば、紙の白色がイメージ設計に含まれている場合には、前記イメージは４つの色調値、例えば、白、黒、および２つの濃淡値を有していることが好ましい。特に好ましい実施の形態において、前記印刷イメージは、遥かに広い色調範囲を有し、明暗効果のみならず三次元効果も得ることができる。色調の階調が細かいほど、即ち、色調スケールが大きいほど、モチーフがより三次元的に表現され、理想的には、印刷イメージが、色調の階調が互いに交わり準連続的に見える写真イメージに近くなる。しかし、テスト結果によれば、４段階のハーフトーン・イメージでも、非常に写実的なハーフトーン印象を与えることができる。６段階のハーフトーン・イメージでは、一般の人は、写真のハーフトーン・イメージと殆んど区別することができない。
【００１６】
前記ハーフトーン・イメージは、どのようなモチーフも可能であるが、絵柄が好ましく、ポートレートが特に好ましい。この理由は、人間の知覚力はポートレートの非常に細かな差異も見逃さないよう訓練されているため、このようなセキュリティー要素の認知性、即ち防衛性が特に向上するからである。また、希望する数のハーフトーン・イメージを希望する形に組み合わせることもできる。
【００１７】
従来の凹版印刷インクはある程度透明であるため、適切な厚さのインク層および背景色を用いることにより、明度の異なる色調または濃淡、および彩度を得ることができる。従って、単にインク層の厚さによって、異なる明度（以下、“色調値”と言う）を得ることができる、即ち、厚さの異なるインク層によって、異なる色調値を有する印刷区画面を得ることができる。従って、白色データ担体を薄いインク層を用いて印刷すれば明るい色調が得られ、厚いインク層を用いて印刷すれば暗い色調が得られる。また、使用するインクおよび担体にもよるが、インク層の厚さに基づいて、明度のみならず彩度も変化させることができる。しかし、通常は、インク層の厚によって、主に明度および彩度が影響を受ける。従って、インク層が彩度および明度に及ぼす作用は、個別に、即ち、各々のインクおよび担体に応じて決定される。隣接する表面のインク層の厚さが充分異なっている場合には、補助具を必要とせず、肉眼で見える明らかなコントラストが得られる。前記は通常の照明条件および観察距離を前提としたものである。
【００１８】
本発明の印刷イメージを形成する場合、まず、オリジナル、好ましくはポートレートを色調値に基づく区画面に細分化する。次に、使用するインクに合わせ、細分化した個々の色調値または色調値のグループに対応して、作製する印刷プレートに異なる彫込み深度を割り当てる。例えば、黒色を出すための最大彫込み深度、および白色を出すための最小彫込み深度または無彫刻の割当てを行う。結果として、前記オリジナルのすべての色調値に対応して印刷プレートの彫込み深度が割り当てられる。特定の色調値を得るのに必要な印刷プレートの彫込み深度は使用インクによって異なる。
【００１９】
必要な彫込み深度は、ステップ・グレー・ウェッジによって使用を検討中のインクを検証することにより、容易に決定することができる。前記グレー・ウェッジは、一列に配され規定の彫込み深度ステップを有する複数の表面要素を備えている。例えば、彫込み深度を５μｍステップで変化させる場合、前記グレー・ウェッジは、５μｍの彫込み深度を有するフィールドから始まり、次のフィールドは１０μｍ、その次のフィールドは１５μｍ、等々と続き、例えば、最高１００μｍの彫込み深度まで続く。前記フィールドのサイズは、例えば、５×５ｍｍである。各々のフィールドは、単に細い分離エッジで分離されているだけである。
【００２０】
前記グレー・ウェッジを特定のインクを用いて印刷する場合、第１フィールドが次のフィールドに対し特別明るい色調値を有し、次のフィールド以降、最も暗い色調値を有するフィールドまで、次第に暗い色調値を有することが確認できる。前記フィールド以降は、それ以上の色調変化は起こらない。後のハーフトーン・イメージの印刷に使用する色調値の数に応じ、特定のグレー・ウェッジ・フィールドが割り当てられ、それによって、印刷プレートの作製に必要な彫込み深度も得られる。
【００２１】
前記グレー・ウェッジ・テストはインク毎に実施される。インクの“透明幅”が不足している場合、即ち、彫込み深度の増加幅に対し、色調値の数が少な過ぎる場合、当業者周知の方法によって調整することができる。
【００２２】
諧調値領域の彫込み深度が、インクの透明度に対応しているハーフトーン・イメージの場合には、対応していない場合に一般に使用されるスクリーン手法を用いなくてもハーフトーンの分解能を得ることができる。諧調値は専らインクの透明度に基づいている。更に、印刷ハーフトーン・イメージは、暗部が明部より高く隆起している表面レリーフを有している。
【００２３】
本発明において、“区画面”という用語は、ハーフトーン・イメージの構成要素となる表面を意味する。前記区画面は、少なくとも印刷区画面の一部が直接隣接している印刷面および、場合により、非印刷面を意味する。“直接隣接している”とは、印刷イメージにおいて、隣接する区画面が非印刷領域によって分離されていないことを意味する。本発明の印刷ハーフトーン・イメージにおいて、印刷区画面の割合が非印刷区画面より大きいことが好ましい。また、本発明のハーフトーン・イメージが、実質的に一面全体に印刷されているような印象を与えるため、印刷区画面の大部分が互いに隣接していることが好ましい。隣接する区画面は異なる色調値、即ち、異なるインク層厚を有することができるが、同じ色調値、即ち、同じインク層厚を有することもできる。特に、非印刷表面は、例えば、明るい反射部分または光沢のある部分など、デザイン目的として主に使用される。
【００２４】
本発明のハーフトーン・イメージを、例えば、ラッカー層によってコーティングすることにより、データ担体の耐久性を保持することが好ましい。前記ラッカー層には、発光物質などの機能性物質、または液晶顔料のような別の効果的顔料を含めることができる。更に、前記ラッカー層は、艶消しまたは光沢仕上げすることができる。また、前記保護ラッカー層は、光沢を増すと同時に印刷を保護することもできる。
【００２５】
紙、プラスチック・ホイル、コート紙またはプラスチック・ホイルを積層した紙、および多層合成材料など、凹版印刷に使用されるすべての担体材料が本発明の担体またはデータ担体材料として適している。特に、本発明の方法は、例えば、銀行券、株券、債権、証明書、証票等のセキュリティー・ドキュメントおよび有価証書のような偽造防止に係る厳しい条件を満足する必要があるデータ担体の印刷に適している。
【００２６】
厚さが異なるインク層で印刷領域および表面を直接自在に隣接させることにより、特に複雑な印刷イメージを形成することができる。前記により、凹版印刷によって形成される印刷イメージの準備段階および表現上におけるデザインの自由度が大幅に増す。
【００２７】
更に、印刷データ担体を製造するための本発明の方法は、異なるインク層厚を有する印刷表面を同じインクを用いて１回の印刷で形成することができるという経済的利点を有している。
【００２８】
本発明のセキュリティー要素またはセキュリティー印刷の偽造防止機能は、区画面間の色調値が頻繁に変化するようにすれば更に向上する。ここにおいて、区画面は、表面の大きさ、および/または明/暗コントラスト、および/または触知性が異なる。セキュリティー印刷の異なる印刷区画面間の正確な整合、およびその結果得られる特別な光学的印象は、凹版印刷、即ち、必要な整合と共にセキュリティー印刷が完全に彫刻された印刷プレートを使用することによってのみ可能である。インクを担持する区画面の大部分を直接隣接させることにより、印刷イメージが実質的に一面全体印刷イメージを呈するようにすることが好ましい。
【００２９】
本発明の凹版印刷プレートは、高速回転先細彫刻具を使用する、例えば、特許文献１に記載の方法によって彫刻されることが好ましい。また、前記彫刻は、基本的にはレーザー彫刻、エッチング、あるいはその他適切な方法によっても可能である。
【００３０】
直接隣接するインク層が、データ担体に移転され乾燥する以前に、境界線に沿って互いに流入するのを防止するため、 特許文献２および特許文献３に基づく、所謂“分離エッジ”が印刷プレートの異なる彫込み深度を有する表面間に配される。前記分離エッジは、先細楔形断面輪郭を有している。前記楔の先端が、印刷プレート表面または僅かに低い位置にあることが好ましい。
【００３１】
一般に、分離エッジ輪郭の先端は、分離エッジに沿ってナイフの刃のような一次元ラインを形成する。分離エッジは異なる彫込み深度を有する印刷プレート領域を分離し、印刷インク面がインクの流入によって阻害されるのを防止する。印刷プレートに配された分離エッジによって、粘着質の凹版印刷インクが担体に移転された後、厚さが異なるインク層によって印刷された表面が直接当接している場所においても、寸法的に安定した形でその場に“留まる”。これにより、凹版印刷によって、異なるインク層厚および鮮明な際を有する非常に木目の細かい層を成す構造体を印刷することができる。
【００３２】
印刷を開始する前に、印刷プレートの彫込みにインクが注入されていない場合、または少なくともインクが充分に注入されていない場合、即ち、充満していない場合、当該彫込み部分は、凹版印刷中、所謂ブラインドエンボス加工を担体に施すのに用いられるエンボス加工プレートとして作用する。前記エンボス要素は、前記印刷表面と同様の特性および触知性を有し、インクによる知覚的印象を与えない点が異なるのみである。
【００３３】
前記のようにして作製された印刷プレートは、最終的にデータ担体の印刷に使用される。
【００３４】
更に、凹版印刷中の高接触圧力により、担体を背景に突出したエンボスが担体材料に形成される。
【００３５】
オリジナルのハーフトーン・イメージを本発明の印刷イメージに変換するための好ましい手順は以下の通りである。
【００３６】
１．オリジナルのハーフトーン・イメージ（例えば、写真）を印刷技術によって表現するための色調値数を決定する。
【００３７】
色調値数が多い程、外見がオリジナルに近くなることを再度注記しておく。しかし、テスト結果によれば、５または６つの色調値でも、充分的確なハーフトーンが得られる。
【００３８】
２．オリジナルのハーフトーン・イメージを色調値毎に画定する。
【００３９】
３．ハーフトーン・モチーフを印刷技術によって表現するためのインクを決定する。
【００４０】
４．インクの透明範囲を規定し（未決定の場合）、色調値をインク層の厚さ、即ち、彫込み深度に割り当てる。
【００４１】
５．規定彫込み深度を有する表面領域、分離エッジ、インク・トラップ構造体等を規定することにより、作製すべき印刷プレートの区画面を規定する。
【００４２】
６．好ましくは特許文献１に記載の彫刻技術によって特定の層領域を除去することにより印刷プレートを作製する。
【００４３】
７．印刷への転換を評価し、必要な修正を加えるために、見本印刷による検査を実施する。
【発明の効果】
【００４４】
本発明の印刷データ担体は、凹版印刷イメージが有する特徴により、一般の印刷方法では再生することができない高度な偽造防止機能を備えている。凹版印刷における正確に整合された区画面の位置決めは、連続的に独立して印刷した２つの印刷イメージを重畳しても、あるいはエンボス加工によっても不可能である。
【００４５】
触知性を有する絵柄要素によって、データ担体のカラー複写または走査による模造を更に防止することができる。
【００４６】
前記のように、凹版印刷、特にスチール凹版印刷は、専門家でなくても容易に識別できると共に、他の一般的な印刷方法では模倣することができない特有の印刷イメージまたはエンボス加工イメージを提供する。従って、スチール凹版印刷は、偽造防止に係る厳しい条件を満足する必要があるデータ担体の印刷、特に、例えば、銀行券、株券、債権、証明書、証票等のセキュリティー・ドキュメントおよび有価証書の印刷に用いられることが好ましい。
【発明を実施するための最良の形態】
【００４７】
以下の実施例および添付図面は、本発明の効果の説明に役立つ。以下に述べる１つの特徴および実施例は、そのものが発明性を有すると共に、組合せにおいても発明性を有している。実施例は、好ましい実施の形態に関するものであるが、本発明はこれに限定されるものではない。添付図面における寸法比は、図面を分かり易くするため、実際の比率と必ずしも同一であるとは限らない。
【００４８】
図１はデータ担体１としての銀行券を示す概略図である。銀行券の印刷イメージは、一般に、各々が別々の印刷プロセスによって印刷された複数の印刷イメージを重畳したものである。図示の銀行券には、例えば、数字の５を表す印刷イメージ２が示されている。印刷イメージ２は従来の凹版印刷によって印刷される。このことは、ライン距離またはライン幅が可変できるライン・スクリーンによって、輝度の違いが実現されることを意味する。更に、オフセット印刷による細かい線から成る背景パターン３、凸版印刷によるシリアルナンバー４が示されている。更に、スクリーン印刷による領域等も備えることができる。
【００４９】
ポートレートを示す本発明の印刷模様５が、例として示す銀行券の領域に図式的に示されている。本発明のプリント模様、印刷データ担体、および印刷プレートは、以下の実施例および添付図面を参照しながら詳細に説明する。
【００５０】
図２は本発明のハーフトーン・イメージのオリジナルとなるハーフトーン・イメージである。このイメージは、通常、肉眼で知覚できるグリッドは有していない白黒写真である。図２のグリッドは、単に印刷技術によって“写真”を再現するための補助として設けられたものに過ぎない。図２のオリジナルは、ここでは白色である最も明るい色調値と、黒色である最も暗い色調値との間に複数の中間色調値を有するポートレートの細部を示す標準的なハーフトーン・イメージである。
【００５１】
本発明によれば、オリジナルのハーフトーン・イメージからハーフトーンが分類される。例えば、図３は、５つの色調値、即ち、白、ライトグレー、メディアムグレー、ダークグレー、および黒に分類した図２のオリジナル・ハーフトーン・イメージである。次に、図２および図３のオリジナルにスクリーンを重ね、スクリーンによって画定される各々の区画面（ピクセル）に特定の色調値を割り当てることができる。
【００５２】
前記オリジナルは、任意のスクリーンを用いて区画面に分割することができる。簡単で規則的な幾何学構造体、および無作為に配された不規則的かつ複雑な構造体のいずれも使用することができる。同様に、区画面の境界も任意に規定することができる。
【００５３】
従って、例えば、ジグザグ形、波状形、弓形、円形、直線形、組紐形の平行、略平行、螺旋形、星形、交差または相互に絡み合ったライン・システム、円形、楕円形、三角形、およびその他の多角形を成す幾何学構造体を用いることができる。勿論、印刷イメージを区画面に分割する前記各種スクリーンを組み合わせて使用することもできる。前記オリジナルは、印刷区画面が少なくとも１つの印刷ハーフトーン・イメージの領域に隣接している必要があることを除き、任意の区画面に分割することができる。
【００５４】
次に、特定の色調値を有する区画面に変換されたオリジナルのイメージに対し、凹版印刷プレートに彫込み加工を施すための彫込み深度が割り当てられる。前記彫込み深度は、使用インクに依存し、インクの透明幅によって実質的に決定される。
【００５５】
以下の実施例は、例を通して本発明の様々な実施の形態を説明したものである。  
【実施例１】
【００５６】
オリジナルの最も忠実なコピーを取得する場合、オリジナル・イメージ領域をスクリーンによって分割することが好ましい。このようにして分割したイメージを図４に示す。区画面６、７、８、９および１０は、オリジナルそのものから得たものである。このことは、区画面がオリジナルの絵柄部分に基づいていることを意味する。前記は、一定の色調値範囲に対応する領域が区画面に割り当てられ、次いで、割り当てられた区画面に同じ色調値が付与されるハーフトーンの分類時に自動的に行われる。前記により、特定の色調値が色調値範囲に再分割され、各々の色調値範囲に規定の色調値を付与したオリジナルが出来上がる。例えば、５つの色調値から成る色調値範囲の場合、０〜１００％の色調値範囲が、例えば、５等分、即ち、１〜２０％、２１〜４０％、４１〜６０％と言うように分割される。次いで、各々の色調値範囲に対し、例えば、各々の色調値範囲の最高色調値、即ち、１〜２０％の色調値範囲に対し、例えば、２０％が付与され、２１〜４０％の色調値範囲に対し４０％と言うように色調値が付与される。本実施形態では、前記色調値は、０％、２０％、４０％、６０％、８０％および１００％である。しかし、例えば、０％、３０％、６０％、８０％、９０％および１００％のように、前記色調値範囲を不規則に選択することもできる。この場合、暗いイメージ領域に比し、明るいイメージ領域には、例えば、より小さい重みが付与される。色調値区分は、連続した面ではなく、各々がイメージ面全体に分布する孤立した領域を表すのが一般的である。従って、対応する色調値を有する本発明の区画面が、前記孤立領域の各々に割り当てられる。同じ色調値区分に属する区画面は、同一彫込み深度が付与されること、即ち印刷イメージにおいて、同じインク層厚を有することが特徴である。この場合、前記オリジナルに重畳されるスクリーンは、特定の色調値を示す区画面の境界線に正確に重畳される。前記の結果、図４のイメージにおいて、オリジナルの黒色領域と同じ大きさの３つの黒色区画面６が得られる。更に、ダークグレー（７）、メディアムグレー（８）、ライトグレー（９）および白色領域（１０）に対応する領域が存在している。区画面の寸法、従って、後の彫込みをオリジナルのイメージから直接得ている。前記区画面の寸法、色調値の割当て、および色調の割当てに関連した彫込み深度が定まると、オリジナルの彫込みに必要なデータがすべて整ったことになる。
【００５７】
一般に、図４の黒い分離線１１は印刷イメージには現れない。前記分離線は区画面の境界をより明確にするための線に過ぎない。印刷イメージの前記黒色分離線領域において、前記区画面は直接隣接しており、分離線によって分離されてはいない。印刷プレート表面の僅か下に延びる前記分離エッジを有する印刷プレートを使用することにより、非常に細く明るくインク付けされた、即ち、印刷された線が印刷イメージの図４に示す黒色線領域に現れる。印刷イメージに白く現れる区画面１０は、印刷する担体が白色であるとすれば、他の領域が一面印刷である印刷イメージ中の非印刷領域である。
【実施例２】
【００５８】
実施例１で説明した絵柄モチーフに応じて区画面を決定する方法の他に、独立して作製したスクリーンをオリジナルに重畳することにより、印刷イメージの区画面を作製することができる。本実施例では、オリジナル・イメージ上にスクリーンが重畳される、即ち、オリジナルがオリジナルのモチーフとは無関係に区画面に分割される。本発明の印刷イメージの区画面に対応する前記区画面に色調値が割り当てられる。前記スクリーンが細かい程、換言すれば、本発明のハーフトーン・イメージを構成する区画面が小さい程、より精細なイメージを表現することができる。次いで、前記色調値が、前記のように、印刷プレートの彫込み深度に変換される。
【００５９】
最も単純な場合には、ピクセル・スクリーンが使用される。図５は、前記スクリーンを図２のオリジナル重畳した図である。スクリーンを重畳することにより、オリジナルが一定の方形区画面１２に分解される。従って、１つの区画面１２が１つのボックス/ピクセルに相当する。図５ａは、図５の“Ｘ”で示す部分の詳細を示す図である。実施例１で説明したように、図５および図５ａの黒い線は、区画面の境界を示す線に過ぎず、印刷イメージには黒い線として現れることはない。
【００６０】
次のステップにおいて、各々のボックスまたはピクセルに一定の色調値が割り当てられる。１つのボックスに複数の色調値が存在している場合には、例えば、積分によって平均値を求めることにより色調値が決定される。図２の標準的なハーフトーン・イメージをオリジナルとして使用しているため、本方法により、対応する彫込み深度に変換される複数の色調値が与えられる。
【００６１】
従来の輪転グラビア印刷とは大きく異なり、本発明による前記ピクセルの彫込み領域は密接に隣接し、前記分離エッジによって分離されているのみである。印刷プレートの分離エッジは、個々のピクセル（セル）を“物理的に”分離しているが、印刷技術により、粘着性インクを使用した場合でも、ピクセル間は直接変化する。従って、ピクセルは非印刷バーによって分離されることはなく、たとえ分離されたとしても明るい印刷ラインによって分離されるのみである。通常、前記ラインは極めて細いため、印刷イメージにおいて目立つことはない。前記のようにして形成されたイメージを図５ｂに示す。図示のイメージの個々のボックスには、既に対応する色調値が割り当てられている。図５ｂの明るい線は、印刷プレートの彫込み時における分離エッジの配置、および印刷イメージにおける区画面の隣接状態を示している。これらの線は、完全な非印刷ラインを意味している訳ではない。
【００６２】
図を分かり易くするため、図示のスクリーンは比較的目が粗い。従って、一定の色調値を有する区画面に変換されたイメージは比較的抽象的に見える。より厳密なコピーを作製する場合には、勿論、ピクセルを遥かに小さくし、肉眼での個々のボックスの判別を更に難しくする充分に目の細かいスクリーンが使用される。
【実施例３】
【００６３】
図６、６ａ、および６ｂの例は、実施例２同様、ピクセル・スクリーンを使用した例である。図２の標準的なハーフトーン・イメージの代わりに、ハーフトーン区分に分離されている図３のハーフトーン・イメージにスクリーンを重畳している点が、実施例２と異なる点である。
【００６４】
実施例２同様、個々のピクセルに特定の色調値が割り当てられる。オリジナルが５つの色調値に限定されているため、図６ａに示すように、ピクセルに変換されたイメージの色調値も５つである。即ち、本実施例においては、規定数の色調値およびそれに伴う彫込み深度によってイメージが構成される。
【００６５】
図６はピクセル・スクリーンを重畳した５つの色調値区分から成るハーフトーン・イメージである。図６ａは図６の“Ｘ”で示す部分の詳細を示す図であり、既に色調値がピクセルに割り当てられている。図６ｂは、１つのピクセルが１つの区画面１２に対応している図６ａに関連した印刷イメージを示している。
【００６６】
実施例２の説明がここでも同様に当てはまる。
【実施例４】
【００６７】
図７に示すように、本実施例においても、前記絵柄モチーフから作製した図４のハーフトーン区画面に基づいて区画面が規定される。前記ハーフトーン区画面は、黒い分離線１１によって示されている。次いで、前記区画面に図２の標準的ハーフトーン・イメージが重畳される。
【００６８】
次に、実施例１とは対照的に、５つの色調値に限定されることなく、オリジナルに対応した複数の特定の色調値を個々の区画面に割り当てることができる。即ち、黒色区画面６、６’および６’’を、実施例１のようにもっぱら黒色区画面６として構成する代わりに、ダークグレー〜黒の色調値を用いることにより差異を持たせることができる。ダークグレーの区画面７と７’、およびメディアムグレーの区画面８と８’についても同様である。非常に特殊な色調値を区画面に割り当てることができるばかりでなく、区画面に色調値パターンを描くことも可能である。前記パターンは、実施例８および図１４で説明するように、分離バーまたはインク・トラップ・バーと共に追加的に設けられる傾斜面を用いた印刷技術によって印刷プレートに形成することができる。
【実施例５】
【００６９】
図８に示すように、ピクセル・スクリーンの代わりに、ライン・スクリーンを重ねることにより、図３のハーフトーン・オリジナル・イメージを密接に隣接したストリップ１３に分割することができる。本実施例においては、前記オリジナルに水平平行ライン１１が重ねられる。しかし、各ストリップに同一の色調値が割り当てられる訳ではなく、ストリップに沿って色調値区分が異なる場合、ステップ２で形成された色調値区分に応じ、１つのストリップ内において色調値が異なる。従って、区画面の左右および上下は、分離ライン１１によって、また、印刷プレートにおいては、分離エッジによって限定される。左右の境界線は絵柄モチーフによって決定され、特定の色調値を有する表面に沿って延びている。また上下の分離線は、重畳されるライン・スクリーンによって決定される。前記幅に満たない区画面は、幅全体の平均値を求め、求めた平均値に基づいて特定の色調値が割り当てられるか、または図示のように分離線によって区切られる。
【００７０】
図８ａは、図８の“Ｘ”で示す部分の図であり、例として、３つのストリップ１３が示されている。図８ｂは、部分“Ｘ”に対応する印刷イメージを示す図である。
【００７１】
図８ｂの区画面の明るい境界線は、前記同様、区画面の正確な寸法、および印刷プレートの分離エッジを示すための線である。
【００７２】
本実施例においては、異なる色調値が割り当てられたストリップ、およびストリップ内の領域は分離エッジによって分離される。ライン・スクリーンのラインがワイピング・シリンダーまたはブレードのワイピング方向に対し直角に延びている場合には、恐らく前記分割方法で充分であると思われる。ライン・スクリーンがワイピング方向に沿って延びている場合、１つの色調値が割り当てられているストリップ内の長い区分領域は、印刷中におけるインクの“飛散”を防止するため、別の分離エッジで遮断する必要があると思われる。前記分離エッジにより、印刷イメージに細く明るいラインが印刷されることがある。前記ラインの印刷を避ける必要がある場合には、実施例８および図１４で説明するように、所謂“インク・トラップ要素”と呼ばれる要素を前記スクリーンのラインおよび印刷プレート表面領域に設けることができる。前記要素は印刷プレート表面から突出せず、分離エッジに比し、印刷イメージにおいて、あまり目立つことはない。
【実施例６】
【００７３】
図９に示す実施例は、ライン・スクリーンが重畳されるオリジナルが、図３のハーフトーン区分に基づくものではなく、図２の標準ハーフトーン・イメージであるという点で、実施例５および図８〜８ｂに示す実施例と異なる。区画面の上下は、実施例５同様、個別ライン１１によって区切られ、図９ａから明らかなように、任意の数の色調値が個別ラインに存在することができる。傾斜面が刻まれた印刷プレートによる印刷技術により、分離エッジによって次のストリップから分離されている１つのストリップ内に色調値パターンを形成することができる。印刷プレートの傾斜面により、観察者からは連続的に明るくまたは暗く変化する色調として見える、厚さが連続的に増加または減少するインク層をデータ担体上に形成することができる。実施例５で説明した、個別ストリップ内における分離エッジを設けることも好ましい。更に、色調値領域間およびライン間のインクの流入または飛散を防止するためのインク・トラップ構造体を彫刻することも可能である。図９ｂの明るい線は、分離エッジによって互いに画定されている印刷イメージの区画面を示している。
【実施例７】
【００７４】
図１０は、区画面がオリジナルのフリー・グラフィック・デザインによって規定される実施例を示している。本実施例のイメージは、前記オリジナルの写真から数学的に確定される色調値区分ではなく、デザインを重視した分割によって決定される。色調値および区画面によって、陰影付け、色彩等のデサイン手法が得られる。図１０は、白（１０）、ライトグレー（９）、ダークグレー（７）、および黒（６）の４つの色調値を用いて図案化した図２のポートレートの詳細を示す図である。
【実施例８】
【００７５】
最も単純な印刷イメージにおいて、アモルファス・ブラック面として示される図１０の眉“ｙ”とは対照的に、図１０ａおよび１０ｂには、モチーフに依存した微細構造を成す別の形態の眉“ｙ”が示されている。従って、印刷プレートにおいては、前記眉に対応する凹部が刻まれるのみならず、印刷イメージに希望する微細構造を形成するための凹凸パターンが刻まれる。雛形および彫刻具の手引きを参考にして、彫込みによって形成された区画面の底部に前記凹凸パターンを形成することができる。前記凹凸パターンは、第１にインク・トラップとして機能し、第２に印刷イメージまたはエンボス加工イメージ部分の光沢および視覚的印象に影響を及ぼす。印刷プレートの彫込み中に、例えば、特許文献１記載の方法によって、切削された底部表面に基本凹凸パターンを形成することができる。前記区画面の長さと幅が略１００μｍの場合、例えば、インク・トラップとして好都合である。切削路が密接に接近している（例えば、略１０μｍ）先端半径の大きな丸型彫刻具によって、滑らかで偏りを持って幾分反射する印刷領域またはエンボスが形成される滑らかな彫込みを行うことができる。しかし、切削路が離間している（例えば、５０μｍ超）先端半径が小さく鋭い刃先の彫刻具を使用した場合には、艶がなく光を広く散乱する印刷領域またはエンボスが形成される粗い構造化された彫刻が得られる。
【００７６】
印刷イメージ全体にわたり一様に凸凹パターンを形成することができる一方、印刷またはエンボス加工プレートに凹部を彫刻する際に、個々の領域よって切削方向を変えることができる。例えば、９０°回転している直線状に延びる切削路に沿って形成された彫込みにより、光の反射が異なる視覚的に識別可能な印刷領域またはエンボスを形成することができる。螺旋または同心切削路に比し、直線または蛇行切削路による彫込みについても前記と同様のことが言える。前記効果によりブラインドエンボス加工または印刷が魅力的または印象的になるばかりでなく、偽造防止効果も向上する。前記彫刻手法を選択的に適用することにより、例えば、絵柄的にイメージ情報をサポートする一方、特定の視角または反射角においてのみ、あるいは拡大鏡によってのみはっきりと見ることができる微細構造を印刷またはエンボス加工領域に選択的に重畳することができる。
【００７７】
図１０ａおよび１０ｂに示すような前記微細構造体を選択した場合、単にそれを印刷プレートに彫刻するだけで、例えば、眉領域に微細構造体として眉毛を形成することができる。図１０ａにおいて、彫刻具が、切削される区画面の輪郭に沿って同心状にガイドされ、図１０ｂにおいては、平行線状にガイドされる。斜線、交差スクリーン等、別の構造体も同様に可能である。
【実施例９】
【００７８】
図１１は、実施例７同様、自由にデザインしたモチーフに依存した区画面を有する本発明のハーフトーン・イメージである。区画面には４つの色調値が割り当てられている。実施例７との違いは、ポートレートではなく、各々が区画面に相当する図形と英数字要素とから成っていることである。実施例７の説明がここでも同様に当てはまる。
【実施例１０】
【００７９】
冒頭で述べたように、本発明のハーフトーン・イメージは、色調値が異なる領域毎に紙担体のインク層およびエンボス加工の厚さが異なるため、既に一定の触知性を備えている。本発明の印刷イメージの触知性を更に増大させる場合には、例えば、実施例１〜９の印刷イメージに触知構造体を追加することができる。前記構造体は、凹版印刷プレートの彫刻時に考慮されるため、１回の印刷で済む。構造体要素のサイズおよび色調値は、希望する触知および視覚効果に応じてケース毎に考慮される。
【００８０】
図１２は、グレー・ウェッジおよび追加触知構造体要素から成る、本発明の印刷イメージ２０の概略図である。前記グレー・ウェッジは、４つの異なる色調値を有する、４つの方形２１、２２、２３および２４を備えている。各々の方形の辺の長さは、例えば、５ｍｍであり、それぞれ１つの区画面に相当している。
【００８１】
前記“ハーフトーン・イメージ”は、レリーフ構造体によって既に触知可能である。濃淡値が“暗”から“明”に連続的に変化しているため、グレー・ウェッジの先頭、即ち、ブラック端は容易に触知可能である。しかし、以後のステップは勾配を有し小さなステップで変化しているため、前記のような触知性はない。小さな黒い円、２５、２６、２７および２８が、基本モチーフの方形に追加触知構造体要素として一体化されている。前記追加構造体要素は、色調値“黒”を示す深度より遥かに深く彫り込まれる。従って、これらの円は、グレー・ウェッジの黒色区画面２１より高く浮き出ている。従って、構造体要素２５〜２８は、方形区画面から“ノブ”のように突出している。前記“ノブ”および区画面は、印刷プレートにおいて分離エッジによって画定され、印刷イメージにおいて正確に整合されて現れる。前記“ノブ”は、コントラストまたは濃淡パターンと関わりなく、黒色面を含むすべての区画面のあらゆる方向から容易に触知できる。要素２５は、方形２１と光学的に同じ色調値を有しているため、視覚ではなく、触知によってのみ知覚することができる。勿論、円形のみならず、矩形や文字等も追加触知構造体として使用することができる。個別要素を基本モチーフに随意に配置することができる。本実施例では、触知構造体要素は、各々の区画面の中央に配されているが、１つまたは２つおきに配することもできる。触知構造体要素は形状のみならずサイズも変更することができる。また、異なる色調値を有することもできる。
【００８２】
別の実施の形態において、実施例１および図４の区画面を、例えば、触知性を有し、印刷イメージにおいて恐らく視覚的にも明らかな境界によって画定することができる。この実施の形態においては、実施例１および図４で説明した黒および透明な線が、触知性を有すると共に視覚的に知覚可能となる。前記線は非常に暗い色調値、特に黒色線であることが好ましい。そうすることにより、前記線が印刷イメージにおいて比較的容易に触知可能となり、追加触知構造体要素として利用できるという効果が得られる。前記線そのものは、厚さを変化させることができると共に、絵柄モチーフの領域に対してのみ用いることもできる。
【００８３】
隣接区分領域より暗い色調値を有する構造体によって、触知性を向上することができる。この理由は、暗い色調値は、同時にインク層の厚さおよびエンボスから成る振幅が大きいことを意味し、従って、容易に触知できるためである。しかし、明るい色調値も可能である。この場合、明るい色調値の構造体要素は、印刷イメージ表面から突出している構造体要素より目立たず、触知的に検知することが難しいため、あまり小さくしないようにすることによって、触知性にプラスの効果が得られる。本実施例では、触知構造体要素は、一部が触知的にのみ知覚可能であり、別の一部が触知的および視覚的に知覚可能である。触知的にのみ知覚可能である構造体要素２５が、第１基本方形２１に一体化されている。この場合、構造体要素と基本方形はいずれも色調値“黒”を有しており、構造体要素がより深い彫込みによって形成され、基本方形より大きな振幅を有している。前記構造体要素と基本方形とは異なるインク層厚を有しているが、いずれの層も非常に厚いためインクは透明でなくなり、構造体要素と基本方形が同じ色調値を有している。しかし、前記触知要素は、デザインにもよるが、正面からは背景と視覚的に識別することができない場合であっても、影が異なることにより視射角において見える可能性がある。この場合、触知構造体要素を利用して、追加真偽確認機能として、視射角において可視可能な情報を組み込むことができる。従って、目に見えない触知構造体要素の追加を希望する場合、周囲と同じ色調値を有し、触知により識別可能なレリーフを構造体要素として選択する必要がある。
【００８４】
触知性は主観的感覚であるため、厳密に規定することはできない。印刷レリーフの触知性は、単に絶対的なレリーフの高さおよび個人の感性ばかりでなく、印刷構造体の平面的な大きさ、および触知される印刷構造体が独立しているか、またはレリーフ状の周囲と一体化されているかに左右される。
【００８５】
しかし、大雑把なガイドラインとして以下のことが言える。高さが略５０μｍ未満の凹版印刷レリーフは触知性を有している。略５０〜６０μｍのレリーフ領域は容易に触知できる。レリーフ振幅が６０μｍを超える凹版印刷レリーフは、はっきりと触知できる。
【００８６】
図１２ａは、図１２の印刷イメージを形成するための本発明による凹版印刷プレート３０であって、図１２のＡ−Ａ線断面を示している。彫込み領域３１、３２、３３および３４の各々が、触知構造体要素を有する各々の方形に対応している。各々の構造体要素および方形は、プレート表面に達していない分離エッジによってそれぞれ画定されている。ジグザグ模様によって示され、方形２４の表面に凹凸を形成するインク・トラップが領域３４に付加されている（図１２ｂ参照）。
【００８７】
図１２ｂは、図１２の印刷イメージを有するデータ担体４０の断面図であって、図１２のＡ−Ａ線断面を示している。基体５０が、印刷プレートの彫込み深度によって異なる紙担体のエンボスおよびインク層を有している。黒色基本方形領域２１に、厚いインク層４１を有する非常に濃いエンボスが存在している。方形２２、２３、２４のエンボスおよびインク層４２、４３、４４が共に減少し、右方向に順次色調値が明るくなっている。追加触知要素２５、２６、２７および２８は、高さが異なる瘤として認識することができる。
【００８８】
前記データ担体表面のレリーフは、前記印刷プレートの彫込み深度と完全には一致しないことに注意する必要がある。図１２ｂの表面レリーフは、理想的な形状を示したものである。印刷による表面レリーフは、基体材料の圧縮とインク層の形成とから成る。レリーフの全高さは、常態、即ち、印刷およびエンボス加工が施されていないデータ担体表面を基本にしている。現実には、基体上に形成されたレリーフは、印刷プレートの彫込みとは明らかに異なる。彫込み深度とレリーフ高との違いは、印刷において、データ担体が印刷プレートの彫込み底部まで圧入されないこと、および印刷プレート凹部のインクが完全にはデータ担体に移転されないことに起因するものである。このため、レリーフ構造体に対する印刷プレートの彫込み深度は、略４０〜２５０μｍの範囲であり、略５５〜１５０μｍであることが好ましい。これにより、略５〜１００μｍ、好ましくは２５〜８０μｍのレリーフ構造体が形成される。縁部領域における彫込み深度によって、データ担体表面上の印刷が多少レリーフ状になるか、あるいは平坦になるかについては、個々のケースによって異なり、彫込みの側面傾斜、印刷する基体の性質（強度、可塑性）およびインクの特性に依存する。
【００８９】
前記のように、印刷によるレリーフ高は、印刷プレートの彫込み深度だけでなく、基体およびインクの特性にも依存するため、極端な場合、４０μｍの彫込み深度によって、既にレリーフ印刷が得られる一方、別の材料および印刷パラメータを用いた場合、５０μｍの彫込み深度によっても依然として平坦な印刷しか得られないこともある。しかし、それぞれのアプリケーションにおいて、レリーフ・イメージが印刷される領域の彫込みは、所謂平坦な非触知イメージ領域の彫込みよりも常に深い。
【実施例１１】
【００９０】
図１３〜１５は本発明の印刷プレートおよび印刷データ担体の例を示す図である。勿論、本発明の印刷プレートおよび印刷データ担体に関する記述、特に本発明の着想に関する一般的記述が、以下の特定の実施例に限定されるものではない。
【００９１】
図１３〜１５は、図４のイメージを印刷するための、本発明の凹版印刷プレート６０の彫込み面の細部を例として図式的に示したものである。印刷プレートの凹部６１は非常に深い彫込み深度を有し、印刷イメージの、例えば、黒で示される区域を形成する。直ぐ隣に、分離エッジ３９によって分離されている深度が浅く、印刷イメージにおい、例えば、ライトグレーに見える彫込み領域６２がある。前記ライトグレーの区画面の次に、印刷プレートの彫込み領域６３に対応するメディアムグレー区画面がある。次のダークグレー領域は、印刷プレートに再び深く彫り込まれている幅の広い領域６４に対応している      。メディアムグレーを呈する領域６５の次に、印刷イメージにおいてライトグレーを呈する最後の彫込み領域６６が存在している。すべての彫込み領域６１〜６６は、分離エッジ３９によって画定されている。図１４の印刷プレートは、図１３の印刷プレートに対応しているが、領域６６の幅が広いことから、彫込み底部にジグザグ・パターンで示すインク・トラップが付加されている点が異なる。
【００９２】
前記印刷プレートに対応する印刷データ担体７０の断面を図１５に示す。ここでは、銀行券である基体５０が、透明凹版インクを用いて印刷されると共に、印刷によって然るべく変形される。前述のように、印刷プレートの深く彫り込まれた領域は、インクが厚く塗布された大きなエンボスをデータ担体に形成し、浅く彫り込まれた領域は、小さなエンボス、即ち、変形度が小さいエンボスを形成すると共に、当該データ担体領域には少ない量のインクが印刷プレートから移転する。図１３の領域６１が、図１５の領域７１に対応している。エンボスが大きいこと、および塗布されたインク層が厚いことがはっきりと了解できる。分離エッジ３９によって、前記エンボスの右隣に窪み７９が形成されている。分離エッジがあるにも関わらず、印刷イメージにおいて、領域７１と比較して塗布されたインク量が少ないライトグレー印刷領域７２が、黒色領域７１から継ぎ目なく続いている。メディアムグレー色を呈する領域７３および７５が印刷され、領域７２より大きくエンボス加工されている。領域７３および７５と比較して、より大きくエンボス加工され、より厚いインク層に覆われている領域７４が、印刷イメージにおいてダークグレー色を呈する。領域７６は僅かにエンボス加工され、インク層が薄いため、印刷イメージにおいてライトグレー色を呈する。印刷イメージ表面の図示の領域に、エンボス加工およびインク塗布による独特のレリーフ構造体が出現する。前記レリーフ構造体は、専門家でなくても容易に触知でき、明確に感知可能なセキュリティー指標となる。
【図面の簡単な説明】
【００９３】
【図１】銀行券の表を示す図。
【図２】オリジナルのハーフトーン・イメージを示す図。
【図３】色調値毎に区分したオリジナル・ハーフトーン・イメージを示す図。
【図４】区画面を有する本発明のハーフトーン・イメージを示す図。
【図５】ピクセル・スクリーンを重畳したオリジナル・ハーフトーン・イメージを示す図。
【図５ａ】図５の詳細を示す図。
【図５ｂ】本発明の印刷イメージの正面図。
【図６】ピクセル・スクリーンを重畳した色調値区分に変換したオリジナル・ハーフトーン・イメージを示す図。
【図６ａ】図６の詳細を示す図。
【図６ｂ】本発明の印刷イメージの正面図。
【図７】色調値に基づく区画面を重畳したオリジナル・ハーフトーン・イメージを示す図。
【図８】ライン・スクリーンを重畳した色調値区分に変換したオリジナル・ハーフトーン・イメージを示す図。
【図８ａ】図８の詳細を示す図。
【図８ｂ】本発明の印刷イメージの正面図。
【図９】ライン・スクリーンを重畳したオリジナル・ハーフトーン・イメージを示す図。
【図９ａ】図９の詳細を示す図。
【図９ｂ】本発明の印刷イメージの正面図。
【図１０】本発明の印刷イメージの変形を示す図。
【図１０ａ】微細構造体を有する図１０の詳細を示す図。
【図１０ｂ】微細構造体を有する図１０の詳細を示す図。
【図１１】本発明の印刷イメージの別の変形を示す図。
【図１２】追加触知構造体要素を有する本発明の印刷イメージの正面図。
【図１２ａ】本発明の印刷プレートの断面図。
【図１２ｂ】図１２の本発明のデータ担体のＡ−Ａ線断面図。
【図１３】本発明の印刷プレートの断面図。
【図１４】本発明の印刷プレートの断面図。
【図１５】本発明のデータ担体の断面図。
【符号の説明】
【００９４】
１          データ担体（銀行券）
２          印刷イメージ
３          背景パターン
４          シリアルナンバー
５          印刷模様（ポートレート）
６〜１０    区画面
１１          分離線
１２          方形区画面
２０          印刷イメージ
２１〜２４    方形
２５〜２８    触知構造体要素
３０、６０    凹版印刷プレート
３１〜３４    彫込み領域
３９          分離エッジ
４０          データ担体
４１〜４４    エンボスおよびインク層
５０          基体
６１〜６６    彫込み領域
７０          印刷データ担体
７１〜７６    印刷領域
７９          窪み
【図１】
2005512846.tif 000003
【図２】
2005512846.tif 000004
【図３】
2005512846.tif 000005
【図４】
2005512846.tif 000006
【図５】
2005512846.tif 000007
【図５ａ】
2005512846.tif 000008
【図５ｂ】
2005512846.tif 000009
【図６】
2005512846.tif 000010
【図６ａ】
2005512846.tif 000011
【図６ｂ】
2005512846.tif 000012
【図７】
2005512846.tif 000013
【図８】
2005512846.tif 000014
【図８ａ】
2005512846.tif 000015
【図８ｂ】
2005512846.tif 000016
【図９】
2005512846.tif 000017
【図９ａ】
2005512846.tif 000018
【図９ｂ】
2005512846.tif 000019
【図１０】
2005512846.tif 000020
【図１０ａ】
2005512846.tif 000021
【図１０ｂ】
2005512846.tif 000022
【図１１】
2005512846.tif 000023
【図１２】
2005512846.tif 000024
【図１２ａ】
2005512846.tif 000025
【図１２ｂ】
2005512846.tif 000026
【図１３】
2005512846.tif 000027
【図１４】
2005512846.tif 000028
【図１５】
2005512846.tif 000029
【国際調査報告】
2005512846.tif 000030
2005512846.tif 000031
2005512846.tif 000032
2005512846.tif 000033
2005512846.tif 000034
2005512846.tif 000035